(57)【特許請求の範囲】
【請求項１】
光学的反射層を有しない光ディスクを回転可能に保持可能な光ディスク保持機構と、
前記光ディスク保持機構に保持される光ディスクに対して一側に設けられ、前記光ディスクの一側面に対して垂直にレーザ光を入射させるレーザ光照射機構と、
前記光ディスク保持機構に保持される光ディスクに対して他側に設けられ、前記レーザ光照射機構から入射され前記光ディスクを透過するレーザ光を受容して前記光ディスクの他側面に対してエバネッセント波を放射するエバネッセント光学系と、
を備えたことを特徴とする光ディスクドライブ装置。
【請求項２】
前記光ディスクの記録信号のトラックピッチは、前記レーザ光の波長以下となっていることを特徴とする請求項１に記載の光ディスクドライブ装置。
【請求項３】
前記平行光照射機構は、前記エバネッセント光学系に対向する位置に配置された立上げミラーを有している
ことを特徴とする請求項１または２に記載の光ディスクドライブ装置。
【請求項４】
前記エバネッセント光学系に隣接して、前記光ディスクの他側面に対して垂直にレーザ光を入射させる第２レーザ光照射機構が設けられ、
前記レーザ光照射機構に隣接して、前記第２レーザ光照射機構から入射され前記光ディスクを透過するレーザ光を受容して前記光ディスクの一側面に対してエバネッセント波を放射する第２エバネッセント光学系が設けられ、
たことを特徴とする請求項１乃至３のいずれかに記載の光ディスクドライブ装置。
【請求項５】
前記光ディスク保持機構は、２枚以上の光ディスクを平行に保持可能となっている
ことを特徴とする請求項１乃至４のいずれかに記載の光ディスクドライブ装置。
【請求項６】
レーザ光を受容してエバネッセント波を放射するエバネッセント光学系であって、
前記レーザ光を受容する面と、前記エバネッセント波を放射する面とが、同一の側に設けられていることを特徴とするエバネッセント光学系。
【発明の詳細な説明】
【０００１】
【発明の属する技術分野】
本発明は、光ディスクドライブ装置に係り、とりわけ、エバネッセント光を用いる光ディスクドライブ装置に関する。
【０００２】
【従来の技術】
情報記録分野における高密度記録のための技術は、様々な方面から革新的に開発、改良がなされている。
【０００３】
これら高密度記録技術の一つとして、エバネッセント波を発生可能なレンズ（以下、「固体イマージョンレンズ」と言う）を用いる方法が提案されている。固体イマージョンレンズは、レンズ内で光が全反射することによりエバネッセント波を生成するレンズである。固体イマージョンレンズによって生成されるエバネッセント波は、微小な光スポットとして存在するため、光ディスクなどの記録媒体に対する情報の記録密度を高めることを可能にする。
【０００４】
固体イマージョンレンズを用いた光ディスクドライブ装置は、図１１に示すように、レーザ光源６８を含む固定光学系５３と、平行光をディスク５１に垂直入射させる立上げミラー５６と、上方から入射される平行光からエバネッセント波を発生させて下方に微小な光スポットを照射するエバネッセント光学系６０と、によって構成されている。エバネッセント光学系６０から照射される微小な光スポットによって、ディスク５１に対する情報記録または情報再生の作業が実施される。
【０００５】
ここで、ミラー５６とは、ビームスプリッタを含む光を反射させる面がついた光学部品全般を指す。また、エバネッセント光学系６０は、前述の固体イマージョンレンズ６５を含んだ光学要素である。
【０００６】
【発明が解決しようとする課題】
近年、パソコンのモバイル化等により、パソコン関連の各種装置に対する薄型化の要求が強まっている。
【０００７】
しかしながら、図１１のような構成では、エバネッセント光学系６０と立上げミラー５６との両方が、情報記録または情報再生を行うディスク面の側に垂直に並んで設けられるため、ディスク面に対する一方の側に、少なくともこれら２つの光学要素の高さの和のスペースが必要となる。
【０００８】
従って、図１１に示す構成に基づいて、２つ以上のディスク面で情報記録または情報再生を行うような光ディスクドライブ装置を構成する場合、各ディスク面毎に前記２つの光学要素の高さの和が必要となり、装置全体が厚くなってしまう。
【０００９】
本発明は、このような点を考慮してなされたものであり、特に２つ以上のディスク面で情報記録または情報再生を行う場合であっても、装置の厚みを抑制することができる光ディスクドライブ装置を提供することを目的とする。
【００１０】
【課題を解決するための手段】
本発明は、光学的反射層を有しない光ディスクを回転可能に保持可能な光ディスク保持機構と、前記光ディスク保持機構に保持される光ディスクに対して一側に設けられ、前記光ディスクの一側面に対して垂直にレーザ光を入射させるレーザ光照射機構と、前記光ディスク保持機構に保持される光ディスクに対して他側に設けられ、前記レーザ光照射機構から入射され前記光ディスクを透過するレーザ光を受容して前記光ディスクの他側面に対してエバネッセント波を放射するエバネッセント光学系と、を備えたことを特徴とする光ディスクドライブ装置である。
【００１１】
本発明によれば、平行光照射機構とエバネッセント光学系の２つの光学要素を、光学的反射層を有しない光ディスクを挟んで分離して配置することが可能であるので、これら光学要素の配置の自由度が増大し、装置の厚みを抑制することが期待できる。特に、光ディスクの両面を記録面として用いる場合や、複数の光ディスクを同時に作業対象とするような場合においては、装置厚みの抑制の効果が顕著である。
【００１２】
また本発明は、レーザ光を受容してエバネッセント波を放射するエバネッセント光学系であって、前記レーザ光を受容する面と、前記エバネッセント波を放射する面とが、同一の側に設けられていることを特徴とするエバネッセント光学系である。
【００１３】
本発明によれば、平行光照射機構とエバネエッセント光学系との２つの光学要素を、光学的反射層を有しない光ディスクを挟んで分離して配置するような光ディスクドライブ装置を実現することができる。このような光ディスクドライブ装置は、光学要素の配置の自由度が増大するため、薄型に構成することが容易である。特に、光ディスクの両面を記録面として用いたり、複数の光ディスクを同時に作業対象とするような装置の場合には、薄型化の効果が顕著である。
【００１４】
【発明の実施の形態】
以下、図面を参照して本発明の実施の形態について説明する。
【００１５】
図１は、本発明の第１の実施の形態による光ディスクドライブ装置を示す概略側面図である。図２は、図１の光ディスクドライブ装置の概略平面図、図３は、図１に示す光ディスクドライブ装置の概略正面図である。
【００１６】
図１乃至図３に示すように、本発明の第１の実施の形態の光ディスクドライブ装置１は、光学的反射層を有しない光ディスク２０を回転可能に保持可能な光ディスク保持機構２を備えている。光ディスク保持機構２は、光ディスク２０を支持する支持部２ａと、支持部２ａを回転させるスピンドルモータ２ｍとを有している。スピンドルモータ２ｍは、装置本体枠部１ｆに固定されている。
【００１７】
図１に示すように、光ディスク保持機構２に保持される光ディスク２０に対して一側（図１の下側）には、光ディスク２０の一側（下面）面に対して垂直に平行レーザ光（レーザ光）を入射させる平行光照射機構６ａ（レーザ光照射機構）が設けられている。
【００１８】
ここで、光ディスク２０の記録信号のトラックピッチは、平行光照射機構６ａが照射する平行レーザ光の波長以下になっているものとする。また、本実施の形態の光ディスク２０は、両面が記録面として利用可能であることが想定されている。
【００１９】
光ディスク保持機構２に保持される光ディスク２０に対して他側（図１の上側）には、平行光照射機構６ａから入射され光ディスク２０を透過する平行レーザ光を受容して光ディスク２０の他側（上側）面に対してエバネッセント波を放射するエバネッセント光学系１０ａが設けられている。
【００２０】
本実施の形態の平行光照射機構６ａは、光源部２６ａと、エバネッセント光学系１０ａに対向する位置に配置され光源部２６ａからの平行レーザ光の向きを変える立上げミラー１６ａと、を有している。立上げミラー１６ａは、いわゆる４５度ミラーによって構成されている。
【００２１】
光源部２６ａは、図４に示すように、レーザ光源４１、コリメータレンズ４２、プリズム４３、ビームスプリッタ４４を有している。また、ビームスプリッタ４４で分岐された光路には、さらなるビームスプリッタ４５、１／２波長板４６、偏光ビームスプリッタ４７を介して、光磁気信号検出器４８ａ〜４８ｄが配置されている。
【００２２】
前記のように、本実施の形態においては、両面を記録面として利用可能な光ディスク２０を想定している。そこで、図２及び図３に示すように、エバネッセント光学系１０ａに隣接して、光ディスク２０の他側（上側）面に対して垂直に平行レーザ光を入射させる第２平行光照射機構６ｂが設けられている。
【００２３】
また、平行光照射機構６ａに隣接して、第２平行光照射機構６ｂから入射され光ディスク２０を透過する平行レーザ光を受容して光ディスク２０の一側（下側）面に対してエバネッセント波を放射する第２エバネッセント光学系１０ｂが設けられている。
【００２４】
本実施の形態の第２平行光照射機構６ｂは、平行光照射機構６ａと同様に、第２光源部２６ｂと、第２エバネッセント光学系１０ｂに対向する位置に配置され第２光源部２６ｂからの平行レーザ光の向きを変える立上げミラー１６ｂを有している。第２光源部２６ｂも、図４に示す光源部２６ａと同様の構成となっている。また、立上げミラー１６ｂも、いわゆる４５度ミラーによって構成されている。
【００２５】
本実施の形態の光源部２６ａ及び第２光源部２６ｂは、図１及び図２に示すように、互いに段違い平行にアーム状に延びており、先端側に出光面が設けられ、基端側が支持本体部３０に支持されている。
【００２６】
支持本体部３０は、装置本体枠部１ｆ上に、ベアリング３５を介して回動可能に載置されている。また、支持本体部３０は、そのベアリング３５回りの回動移動を駆動するための駆動コイル３７を有している。
【００２７】
一方、立上げミラー１６ｂ、１６ａは、互いに段違い平行にアーム状に延びるスイングアーム４ａ、４ｂの先端部に、それぞれ支持されている。各スイングアーム４ａ、４ｂの基端側は、支持本体部３０に支持されている。
【００２８】
また、各スイングアーム４ａ、４ｂの先端部には、各スイングアーム４ａ、４ｂと直交する方向に突出するサスペンションアーム８ａ、８ｂが接続されている。そして、当該サスペンションアーム８ａ、８ｂが、エバネッセント光学系１０ａ及び第２エバネッセント光学系１０ｂをそれぞれ支持している。
【００２９】
エバネッセント光学系１０ａ、１０ｂは、いずれも、平行レーザ光を受容する面と、エバネッセント波を放射する面とが、同一の側となるように構成されている。具体的な構成例を図５乃至図７に示す。
【００３０】
図５乃至図７に示す各エバネッセント光学系は、それぞれ、固体イマージョンレンズ１５ａ、１５ｂ、１５ｃを有している。各固体イマージョンレンズ１５ａ〜１５ｃは、それぞれ、平面状、凸面状、凹面状の底面１６ａ〜１６ｃと、適宜の立体形状に形成された上面側反射面（後述）１７ａ〜１７ｃと、を有している。
【００３１】
底面１６ａ〜１６ｃ側から入射した平行レーザ光は、レンズ１５ａ〜１５ｃ内を透過して上面側反射面１７ａ〜１７ｃにて反射し、レンズ底面１６ａ〜１６ｃに集光され、レンズ底面１６ａ〜１６ｃにてエバネッセント波を発生する。そして、レンズ底面１６ａ〜１６ｃから当該エバネッセント波が照射される。
【００３２】
すなわち、上面側反射面１７ａ〜１７ｃの形状は、レンズ底面１６ａ〜１６ｃから入射して当該反射面１７ａ〜１７ｃで反射する平行レーザ光がレンズ底面１６ａ〜１６ｃで結像するような立体形状に形成されている。
【００３３】
なお、レンズ底面１６ａ〜１６ｃは、光ディスク２０に対する距離が、エバネッセント光の減衰距離以内となるように配置される。
【００３４】
さらに、光ディスクとして光磁気ディスクが用いられる場合には、必要な磁場を発生させるべく、図５乃至図７に示すように、固体イマージョンレンズ１５ａ〜１５ｃの近傍に磁気コイル１８ａ〜１８ｃが設けられる。
【００３５】
次に、このような構成よりなる本実施の形態の作用について説明する。
【００３６】
図１乃至図３に示すように、光学的反射層を有しない光ディスク２０が、光ディスク保持機構２の支持部２ａに嵌合される。
【００３７】
光ディスク２０の嵌合及び取外しの際には（取外し可能な場合）、エバネッセント光学系１０ａ、１０ｂ及び平行光照射機構６ａ、６ｂが、支持本体部３０の回動によって光ディスク保持機構２の近傍から退避する。これにより、光ディスク２０の嵌合及び取外しが容易に行える。
【００３８】
支持部２ａに嵌合された光ディスク２０は、スピンドルモータ２ｍの作動によって回転する。一方、支持本体部３０の回動によって、エバネッセント光学系１０ａ及び第２立上げミラー１６ｂと第２エバネッセント光学系１０ｂ及び立上げミラー１６ａとが、光ディスク２０を挟むようにして、所望の位置に位置決めされる（図３参照）。
【００３９】
平行光照射機構６ａの光源部２６ａは、出光面から平行レーザ光を出射する。この平行レーザ光は立上げミラー１６ａによって直角に方向を変え（立上がり）、光ディスク２０の下側面に対して垂直に入射する。
【００４０】
ここで、前記のように、光ディスク２０の記録信号のトラックピッチは、平行レーザ光の波長以下になっている。従って、平行レーザ光が光ディスク２０のトラックによって回折するおそれが回避される。なぜなら、±１次光の屈折角が９０度以上となるため、０次の光だけが通過するからである。
【００４１】
光ディスク２０の下側面に入射した平行レーザ光は、光ディスク２０を透過して、エバネッセント光学系１０ａに入射する。エバネッセント光学系１０ａは、受容したレーザ光によって、光ディスク２０の上側面に対してエバネッセント波を放射する。
【００４２】
より詳細に説明すれば、固体イマージョンレンズ１５ａ〜１５ｃ（図５乃至図７参照）のレンズ底面１６ａ〜１６ｃ側から入射した平行レーザ光が、当該レンズ１５ａ〜１５ｃ内を透過して上面側反射面１７ａ〜１７ｃにて反射し、レンズ底面１６ａ〜１６ｃに集光され、レンズ底面１６ａ〜１６ｃにてエバネッセント波を発生する。そして、レンズ底面１６ａ〜１６ｃから当該エバネッセント波が照射される。
【００４３】
光ディスク２０の上側面に対して照射されるエバネッセント波を利用することによって、光ディスク２０上面の情報記録トラックに対して、情報記録あるいは情報再生の作業を実施することができる。
【００４４】
一方、第２平行光照射機構６ｂの第２光源部２６ｂも、出光面から平行レーザ光を出射する。この平行レーザ光は、立上げミラー１６ｂによって直角に方向を変え（立上がり）、光ディスク２０の上側面に対して垂直に入射する。
【００４５】
この場合も、平行レーザ光が光ディスク２０のトラックによって回折するおそれが回避される。なぜなら、±１次光の屈折角が９０度以上となるため、０次の光だけが通過するからである。
【００４６】
光ディスク２０の上側面に入射した平行レーザ光は、光ディスク２０を透過して、第２エバネッセント光学系１０ｂに入射する。第２エバネッセント光学系１０ｂは、受容したレーザ光によって、光ディスク２０の下側面に対してエバネッセント波を放射する。
【００４７】
光ディスク２０の下側面に対して照射されるエバネッセント波を利用することによって、光ディスク２０下面の情報記録トラックに対して、情報記録あるいは情報再生の作業を実施することができる。
【００４８】
以上のように、本実施の形態によれば、平行光照射機構６ａ及び第２エバネッセント光学系１０ｂと、第２平行光照射機構６ｂ及びエバネッセント光学系１０ａとを、光学的反射層を有しない光ディスク２０を挟んで分離して配置しているため、光ディスクドライブ装置１の厚みが顕著に抑制される。なぜなら、光ディスク２０の片側に必要な装置の厚みは、平行光照射機構６ａ、６ｂとエバネッセント光学系１０ａ、１０ｂのいずれか厚い方（通常は平行光照射機構６ａ、６ｂ）のみで足りるからである。
【００４９】
また、本実施の形態によれば、光ディスク２０の記録信号のトラックピッチが平行レーザ光の波長以下になっているため、平行レーザ光が光ディスク２０のトラックによって回折するおそれが回避される。
【００５０】
また、本実施の形態の平行光照射機構６ａ、６ｂは、エバネッセント光学系１０ａ、１０ｂに対向する位置に配置された立上げミラー１６ａ、１６ｂを有しているため、光学系の構成や配置が容易である。
【００５１】
次に、本発明の第２の実施の形態の光ディスクドライブ装置について図８を用いて説明する。図８は、第２の実施の形態の光ディスクドライブ装置の概略側面図である。
【００５２】
図８に示すように、本実施の形態の光ディスクドライブ装置は、４５度ミラーで構成された立上げミラーの代わりに、プリズムで構成された立上げミラー３６が用いられている。
【００５３】
その他の構成は、図１乃至図６に示す第１の実施の形態の光ディスクドライブ装置１と略同様の構成である。第２の実施の形態において、図１乃至図６に示す第１の実施の形態と同一の部分には同一の符号を付して詳細な説明は省略する。
【００５４】
本実施の形態によれば、プリズムによる立上げミラー３６の方が４５度ミラーによる立上げミラーよりも薄く構成することができるため、装置全体のさらなる薄型化を図ることができる。
【００５５】
次に、本発明の第３の実施の形態の光ディスクドライブ装置について図９を用いて説明する。図９は、第３の実施の形態の光ディスクドライブ装置の概略正面図である。
【００５６】
図９に示す光ディスクドライブ装置は、光ディスク保持機構２（図９には図示せず）が２枚の光ディスク２０、２１を平行に保持できるようになっており、４つのディスク面に対して情報記録または情報再生が実施できるように、４つの平行光照射機構６ｃ〜６ｆと、それらの各々と対になる４つのエバネッセント光学系１０ｃ〜１０ｆと、を有している。
【００５７】
図９に示すように、４つのエバネッセント光学系１０ｃ〜１０ｆが、その各固体イマージョンレンズのレンズ底面が４つの記録面のそれぞれに向合うと共に、各ディスク面からエバネッセント減衰距離内に位置するように、配置されている。
【００５８】
図９に示すように、下側に保持される光ディスク２０の下側面の処理のための第１平行光照射機構６ｃは、上側に保持される光ディスク２１の上側に配置されている。そして、第１平行光照射機構６ｃから照射される平行レーザ光は、２枚の光ディスク２１、２０を透過して、光ディスク２０の下側面の処理のための第１エバネッセント光学系１０ｃに入射するようになっている。
【００５９】
下側に保持される光ディスク２０の上側面の処理のための第２平行光照射機構６ｄは、下側に保持される光ディスク２０の下側に配置されている。そして、第２平行光照射機構６ｄから照射される平行レーザ光は、光ディスク２０を透過して、光ディスク２０の上側面の処理のための第２エバネッセント光学系１０ｄに入射するようになっている。
【００６０】
上側に保持される光ディスク２１の下側面の処理のための第３平行光照射機構６ｅは、上側に保持される光ディスク２１の上側に配置されている。そして、第３平行光照射機構６ｅから照射される平行レーザ光は、光ディスク２１を透過して、光ディスク２１の下側面の処理のための第３エバネッセント光学系１０ｅに入射するようになっている。
【００６１】
上側に保持される光ディスク２１の上側面の処理のための第４平行光照射機構６ｆは、下側に保持される光ディスク２０の下側に配置されている。そして、第４平行光照射機構６ｆから照射される平行レーザ光は、２枚の光ディスク２０、２１を透過して、光ディスク２１の上側面の処理のための第４エバネッセント光学系１０ｆに入射するようになっている。
【００６２】
その他の構成は、図８に示す第２の実施の形態の光ディスクドライブ装置１と略同様の構成である。第３の実施の形態において、図８に示す第２の実施の形態と同一の部分には同一の符号を付して詳細な説明は省略する。
【００６３】
本実施の形態によれば、全ての平行光照射機構６ｃ〜６ｆを、保持される光ディスク２０、２１全体の上側及び下側にまとめて配置しているため、光ディスク２０、２１間の間隔を狭く設定することができ、結果的に光ディスクドライブ装置全体の厚みを顕著に抑制することができる。
【００６４】
次に、本発明の第４の実施の形態の光ディスクドライブ装置について図１０を用いて説明する。図１０は、第４の実施の形態の光ディスクドライブ装置の概略正面図である。
【００６５】
図１０に示すように、下側に保持される光ディスク２０の下側面の処理のための第１平行光照射機構６ｃは、下側に保持される光ディスク２０の下側に配置され、第１平行光照射機構６ｃから照射される平行レーザ光によって光ディスク２０の下側面の処理を行う従来型の第１エバネッセント光学系５０ｃが、第１平行光照射機構６ｃと下側に保持される光ディスク２０との間に配置されている。
【００６６】
また、上側に保持される光ディスク２１の上側面の処理のための第４平行光照射機構６ｆは、上側に保持される光ディスク２１の上側に配置され、第４平行光照射機構６ｃから照射される平行レーザ光によって光ディスク２１の上側面の処理を行う従来型の第４エバネッセント光学系５０ｆが、第４平行光照射機構６ｆと上側に保持される光ディスク２１との間に配置されている。
【００６７】
その他の構成は、図９に示す第３の実施の形態の光ディスクドライブ装置と略同様の構成である。第４の実施の形態において、図９に示す第３の実施の形態と同一の部分には同一の符号を付して詳細な説明は省略する。
【００６８】
本実施の形態によっても、全ての平行光照射機構６ｃ〜６ｆを、保持される光ディスク２０、２１全体の上側及び下側にまとめて配置しているため、前記の第３の実施の形態の光ディスクドライブ装置ほどでは無いが、光ディスクドライブ装置１全体の厚みを抑制することができる。
【００６９】
【発明の効果】
以上説明したように、本発明によれば、平行光照射機構とエバネエッセント光学系とを、光学的反射層を有しない光ディスクを挟んで分離して配置することが可能であるので、これら光学要素の配置の自由度が増大し、装置の厚みを抑制することが期待できる。特に、光ディスクの両面を記録面として用いる場合や、複数の光ディスクを同時に作業対象とするような場合においては、装置厚みの抑制を顕著に実現できる。
【図面の簡単な説明】
【図１】本発明の第１の実施の形態による光ディスクドライブ装置を示す概略側面図。
【図２】図１の光ディスクドライブ装置を示す概略平面図。
【図３】図１の光ディスクドライブ装置を示す概略正面図。
【図４】図１の光ディスクドライブ装置の光学系を示す概略図。
【図５】図１の光ディスクドライブ装置のエバネッセント光学系の一例を示す構成概略図。
【図６】図１の光ディスクドライブ装置のエバネッセント光学系の他の例を示す構成概略図。
【図７】図１の光ディスクドライブ装置のエバネッセント光学系の他の例を示す構成概略図。
【図８】本発明の第２の実施の形態による光ディスクドライブ装置を示す概略側面図。
【図９】本発明の第３の実施の形態による光ディスクドライブ装置を示す概略正面図。
【図１０】本発明の第４の実施の形態による光ディスクドライブ装置を示す概略正面図。
【図１１】従来の光ディスクドライブ装置の光学系を示す概略図。
【符号の説明】
１  光ディスクドライブ装置
１ｆ  装置本体枠部
２  光ディスク保持機構
２ａ  支持部
２ｍ  スピンドルモータ
４ａ、４ｂ  スイングアーム
６ａ〜６ｆ  平行光照射機構
８ａ、８ｂ  サスペンションアーム
１０ａ〜１０ｆ  エバネッセント光学系
１５ａ〜１５ｃ  固体イマージョンレンズ
１６ａ〜１６ｃ  レンズ底面
１７ａ〜１７ｃ  反射面
１８ａ〜１８ｃ  磁気コイル
２０、２１  光ディスク
３０  支持本体部
３５  ベアリング
３７  駆動コイル
４１  レーザ光源
４２  コリメータレンズ
４３  プリズム
４４  ビームスプリッタ
４５  ビームスプリッタ
４６  １／２波長板
４７  偏光ビームスプリッタ
４８ａ〜４８ｄ  光磁気信号検出器
５０ｃ、５０ｆ  エバネッセント光学系（従来型）
【図１】
0003967496.tif 000002
【図２】
0003967496.tif 000003
【図３】
0003967496.tif 000004
【図４】
0003967496.tif 000005
【図５】
0003967496.tif 000006
【図６】
0003967496.tif 000007
【図７】
0003967496.tif 000008
【図８】
0003967496.tif 000009
【図９】
0003967496.tif 000010
【図１０】
0003967496.tif 000011
【図１１】
0003967496.tif 000012